(57)【特許請求の範囲】
【請求項１】
伝送対象の信号である主信号および当該主信号とは波長が異なる副信号を含む光信号を受信した場合に、受信した光信号に含まれる主信号と副信号とに基づいて、障害が発生したか否かを示す障害検出情報、前記光信号の受信経路を切り替える光スイッチの切替を許可するか否かを示す切替許可情報を含む副信号を生成する副信号生成部と、
前記副信号生成部により生成された副信号と前記主信号とを合波した光信号を送信する信号送信部と、
受信された光信号に前記主信号が含まれていない場合に、前記光信号に前記副信号が含まれているか否かを判定する副信号判定部と、
前記副信号判定部によって前記副信号が含まれていると判定された場合に、前記光スイッチが接続される経路を切り替えずに維持する切替制御部と
を有することを特徴とする光伝送装置。
【請求項２】
受信した光信号に含まれる副信号に付加された障害検出情報または切替許可情報と、前記光信号を送信した他の光伝送装置とは異なる光伝送装置に送信する副信号に付加する障害検出情報または切替許可情報を示す付加情報とを対応付けて保持する情報保持部をさらに有し、
前記副信号生成部は、前記他の光伝送装置から受信した光信号に含まれる副信号に付加された障害検出情報または切替許可情報に対応する付加情報を前記情報保持部から特定し、特定した付加情報を含む副信号を生成することを特徴とする請求項１に記載の光伝送装置。
【請求項３】
受信した光信号に含まれる副信号に付加された障害検出情報または切替許可情報によって特定される、前記切替制御部が実施する切替制御内容を保持する切替制御内容保持部をさらに有し、
前記切替制御部は、前記光スイッチにより受信された光信号に含まれる副信号に付加された障害検出情報または切替許可情報に対応する切替制御内容を前記切替制御内容保持部から特定し、特定した切替制御内容を実施することを特徴とする請求項１に記載の光伝送装置。
【請求項４】
伝送対象の信号である主信号および当該主信号とは波長が異なる副信号を含む光信号を受信し、受信した光信号に含まれる主信号と副信号とに基づいて、障害が発生したか否かを示す障害検出情報、前記光信号の受信経路を切り替える光スイッチの切替を許可するか否かを示す切替許可情報を含む副信号を生成する副信号生成部と、
前記副信号生成部により生成された副信号と前記主信号とを合波した光信号を送信する信号送信部と、
を有することを特徴とする光中継装置。
【請求項５】
伝送対象の信号であり波長が異なる複数の主信号および当該複数の主信号各々と波長が異なる副信号を含む光信号を受信した場合に、主信号各々について、障害が発生したか否かを示す障害検出情報、前記光信号に含まれる複数の主信号各々の受信経路を切り替える各光スイッチの切替を許可するか否かを示す切替許可情報を含む副信号を生成する副信号生成部と、
前記波長が異なる複数の主信号を多重し、多重した信号と前記副信号生成部により生成された副信号とを合波した光信号を送信する信号送信部と、
前記光信号を受信して前記複数の主信号および副信号に分波する分波部と、
前記分波部により前記光信号から前記副信号が分波された場合に、前記光スイッチが接続される経路を切り替えずに維持する切替制御部と
を有することを特徴とする光波長多重伝送装置。
【請求項６】
受信した光信号に含まれる副信号に付加された障害検出情報または切替許可情報によって特定される、前記切替制御部が実施する切替制御内容を保持する切替制御内容保持部をさらに有し、
前記切替制御部は、前記複数の光スイッチ各々について、前記光スイッチによって受信された光信号に含まれる副信号に付加された障害検出情報または切替許可情報に対応する切替制御内容を前記切替制御内容保持部から特定し、特定した切替制御内容を実施することを特徴とする請求項５に記載の光波長多重伝送装置。
【請求項７】
受信された光信号に伝送対象となる主信号が含まれていない場合に、障害が発生したか否かを示す障害検出情報と前記光信号の受信経路を切り替える光スイッチの切替を許可するか否かを示す切替許可情報とを含む、前記主信号とは波長が異なる副信号が前記光信号に含まれているか否かを判定する副信号判定部と、
前記副信号判定部によって前記光信号に副信号が含まれていると判定された場合に、現在接続されている経路を切り替えずに維持する切替制御部と
を有することを特徴とする光スイッチ。
【請求項８】
光伝送装置が、
伝送対象の信号である主信号および当該主信号とは波長が異なる副信号を含む光信号を受信した場合に、受信した光信号に含まれる主信号と副信号とに基づいて、障害が発生したか否かを示す障害検出情報、前記光信号の受信経路を切り替える光スイッチの切替を許可するか否かを示す切替許可情報を含む副信号を生成する副信号生成ステップと、
前記副信号生成ステップにより生成された副信号と前記主信号とを合波した光信号を送信する信号送信ステップと、
受信された光信号に前記主信号が含まれていない場合に、前記光信号に前記副信号が含まれているか否かを判定する副信号判定ステップと、
前記副信号判定ステップによって前記副信号が含まれていると判定された場合に、前記光信号の受信経路を切り替えずに維持する切替制御ステップと
を含んだことを特徴とする光伝送方法。
【発明の詳細な説明】
【技術分野】
【０００１】
本発明は、光伝送装置、光中継装置、光波長多重伝送装置、光スイッチおよび光伝送方法に関する。
【背景技術】
【０００２】
従来、メッシュ型の光ネットワーク網を構成する場合に、ネットワークの信頼性を向上させる手法として、Ｌｉｎｅ（ライン）やＰａｔｈ（パス）の冗長化が行われている。そして、ＳＯＮＥＴ（Synchronous  Optical  NETwork）やＳＤＨ（Synchronous  Digital  Hierarchy）などの終端装置のように、主信号の光電変換を伴う装置においては、光電変換の冗長構成を行うと、コストの増大や信号遅延などの原因となることが多い。このため、上記装置においては、光特性が許す限り光スイッチを用いた冗長構成が好ましい。
【０００３】
ところが、光スイッチによる冗長構成では、光スイッチによる切り替え（switch）に伴う信号の遮断が下流側にも伝播して下流側の光スイッチも連動して切り替わり、結果として、複数の光スイッチにおいて不要な切り替えが多発するバタツキ現象が併発する。このバタツキ現象を抑える手法として、図１７に示すようなタイマー機能を持つスイッチ制御回路を光スイッチに用いることで、下流側に位置する光スイッチの障害検感度を鈍くさせる、言い換えると、光入力断検出を遅延させる手法が利用されている。この結果、多段に接続される光スイッチの切り替えのタイミングを調整してバタツキ現象を防止している。
【０００４】
ここで、図１８を用いて、タイマー機能を有する光スイッチによってバタツキ現象を防止する例について説明する。図１８は、タイマー機能を有する光スイッチを多段構成にしたネットワーク例１を示す図である。
【０００５】
図１８に示すネットワーク構成例１は、Ａ局（中継局）とＢ局（中継局）とＣ局（端局）とを有し、０系と１系の２系統の経路で各局に光信号が伝送される。Ａ局は、光スイッチ＃１とカプラ＃１とを有する。Ｂ局は、５０ｍｓｅｃのhold  offタイム（遅延時間）が設定された光スイッチ＃２と、カプラ＃２とを有し、Ａ局から入力された光信号をＣ局に出力する。Ｃ局は、１００ｍｓｅｃのhold  offタイムが設定された光スイッチ＃３を有し、Ｂ局から入力されて２系統の光経路を終端する。
【０００６】
このような構成において、Ａ局の光スイッチ＃１が０系経路のＬＯＬ（Loss  Of  Light）を検出する。この場合、下流（Ｂ局側）への信号が両系とも停止し（Shutdown）、Ｂ局とＣ局の両方でＬＯＬが検出される。その後、Ａ局の光スイッチ＃１はＳＥＬ（セレクタ）を０系から１系に切り替え、ネットワークの障害が復旧する。
【０００７】
一方、Ｂ局の光スイッチ＃２は、ＬＯＬのポーリング周期で１系の状態を収集してＬＯＬの復旧を検出する。このとき、Ｂ局の光スイッチ＃２には５０ｍｓｅｃの遅延時間が設定されており、ＬＯＬ検出から５０ｍｓｅｃ経過前なので、ＳＥＬ切り替えは実施されない。また、Ｃ局の光スイッチ＃３も同様に、ＬＯＬのポーリング周期で１系の状態を収集してＬＯＬの復旧を検出する。このとき、１００ｍｓｅｃの遅延時間が設定されているＣ局の光スイッチ＃３は、ＬＯＬ検出から１００ｍｓｅｃ経過前なので、ＳＥＬ切り替えを実施しない。
【０００８】
その後、Ｂ局の光スイッチ＃２は、遅延時間の５０ｍｓｅｃ経過後に、０系も１系も正常であることを検出し、ＳＥＬの切り替えは必要なしと判断する。同様に、Ｃ局の光スイッチ＃３は、遅延時間の１００ｍｓｅｃ経過後に、０系も１系も正常であることを検出し、ＳＥＬの切り替えは必要なしと判断する。つまり、上流のＡ局で障害が検出された場合、Ａ局の光スイッチは、即動で切り替えを実施する。一方、下流のＢ局およびＣ局の光スイッチは、遅延時間経過前に障害復旧を検知した場合には切り替えを実施しない。
【０００９】
上述したように、下流の光スイッチに遅延時間が設定可能なタイマーを設けることにより、光信号の遮断や普及を検出するたびに光スイッチを切り替えるのではなく、遅延時間の間は、光信号の入力を監視する。そして、遅延時間経過後、光信号の入力がない場合には、光スイッチで切り替えを実施して障害を復旧することで、複数の光スイッチによる切り替えのバタツキ現象の発生を防止する。
【先行技術文献】
【特許文献】
【００１０】
【特許文献１】特開平１１−２４３３７４号公報
【発明の概要】
【発明が解決しようとする課題】
【００１１】
しかしながら、従来の技術では、下流の光スイッチ程、長い遅延時間を設定する必要があり、障害復旧にも長い時間を要するという課題があった。具体的には、光スイッチを切り替えるタイミングは、遅延時間経過後になるため、長い遅延時間が設定されている下流側の光スイッチが切り替わるには障害発生から長い時間が経過した後となる。すなわち、ネットワーク全体の障害を復旧させるにも、長い時間を要することとなる。
【００１２】
例えば、図１８のネットワークにおいてＢ局で障害が発生した場合について説明する。具体的には、Ｂ局の光スイッチ＃２が０系でＬＯＬを検出したとする。この場合、０系に接続しているＢ局の光スイッチ＃２では、０系がＬＯＬ、１系が正常であるものの、遅延時間５０ｍｓｅｃが設定されているためＳＥＬの切り替えを実施しない。つまり、Ｂ局の光スイッチ＃２は、ＬＯＬを検出しても、すぐに切り替えを実施しない。このため、Ｃ局の光スイッチ＃３では、Ｂ局の障害の影響を受け、ＬＯＬのポーリング周期で両系ＬＯＬを検出する。
【００１３】
そして、障害発生から５０ｍｓｅｃ経過後、すなわち、Ｂ局の光スイッチ＃２の遅延時間経過後、光スイッチ＃２は、０系がＬＯＬであり１系が正常であることを検出し、０系から１系へＳＥＬを切り替える。一方、Ｃ局の光スイッチ＃３では、ＬＯＬのポーリング周期で１系の状態を収集し、ＬＯＬが復旧していることを検出する。なお、この時点では、遅延時間１００ｍｓｅｃ経過前なので、Ｃ局の光スイッチ＃３は、ＳＥＬの切り替えを実施しない。そして、遅延時間１００ｍｓｅｃ経過後、Ｃ局の光スイッチ＃３は、Ｂ局の切り替えにより、０系も１系も正常であることを検出し、ＳＥＬの切り替えの必要がないと判断する。
【００１４】
このように、Ｂ局で障害が検出された場合には、迅速なＳＥＬの切り替えが実施されず、Ａ局で障害を検出した場合に比べて５０ｍｓｅｃ復旧が遅れる。また、Ｃ局の光スイッチ＃３でＬＯＬを検出した場合でも、遅延時間１００ｍｓｅｃが経過するまでＳＥＬの切り替えが実施されないので、上述したＢ局の例よりも、さらに５０ｍｓｅｃ復旧が遅くなる。また、図１９に示したネットワーク例２の場合でも、遅延時間が設定されているＣ局の光スイッチでは、Ｃ局で障害が発生してＬＯＬを検出したとしても、遅延時間経過するまで、ＳＥＬの切り替えを実施しないので、遅延時間分復旧が遅れる。
【００１５】
つまり、遅延時間が設定されている光スイッチが障害を検出した場合、遅延時間経過するまでＳＥＬの切り替えが実施されないので、遅延時間分復旧が遅くなる。このように、タイマー機能を持たせたスイッチ制御回路を有する光スイッチを用いることで、障害検出時の光スイッチのバタツキ現象が防止できる一方で、障害の発生箇所によっては、却って障害復旧までに時間を要する場合がある。
【００１６】
開示の技術は、上記に鑑みてなされたものであって、障害検出による光スイッチの不要な切り替えを防止し、障害復旧までに要する時間を短縮することが可能である光伝送装置、光中継装置、光波長多重伝送装置、光スイッチおよび光伝送方法を提供することを目的とする。
【課題を解決するための手段】
【００１７】
本願の開示する光伝送装置、光中継装置、光波長多重伝送装置、光スイッチおよび光伝送方法は、一つの態様において、伝送対象の信号である主信号とは波長が異なる副信号を生成する副信号生成部と、前記副信号生成部により生成された副信号と前記主信号とを合波した光信号を送信する信号送信部と、前記光信号の受信経路を切り替える光スイッチと、受信された光信号に前記主信号が含まれていない場合に、前記光信号に前記副信号が含まれているか否かを判定する副信号判定部と、前記副信号判定部によって前記副信号が含まれていると判定された場合に、前記光スイッチが接続される経路を切り替えずに維持する切替制御部とを有する。
【発明の効果】
【００１８】
本願の開示する光伝送装置、光中継装置、光波長多重伝送装置、光スイッチおよび光伝送方法の一つの態様によれば、障害検出による光スイッチの不要な切り替えを防止し、障害復旧までに要する時間を短縮することが可能であるという効果を奏する。
【図面の簡単な説明】
【００１９】
【図１】図１は、実施例１に係る光伝送システムの例を示す図である。
【図２】図２は、実施例１に係る光スイッチの構成を示す機能ブロック図である。
【図３】図３は、光スイッチ箇所における信号波形を示す図である。
【図４】図４は、送信局と中継局Ａ間でライン障害が発生した直後の信号波形を示す図である。
【図５】図５は、送信局と中継局Ａ間で発生したライン障害が復旧した場合の信号波形を示す図である。
【図６】図６は、実施例２に係る光ネットワークの全体構成を示す図である。
【図７】図７は、ＯＴＮフレームを用いた副信号の例を示す図である。
【図８】図８は、動作判断情報の例を示す図である。
【図９】図９は、動作判断情報の例を示す図である。
【図１０】図１０は、切替判定処理の流れを示すフローチャートである。
【図１１】図１１は、実施例２に係る光ネットワークにおけるＷＤＭ中継局３００とＷＤＭ中継局４００との間でライン障害が発生した場合の例を示す図である。
【図１２】図１２は、図１１の障害が復旧した場合の例を示す図である。
【図１３】図１３は、実施例２に係る光ネットワークにおけるＷＤＭ送信局１００とＷＤＭ中継局２００との間でライン障害が発生した場合の例を示す図である。
【図１４】図１４は、図１３の障害が復旧した場合の例を示す図である。
【図１５】図１５は、メンテナンス時の副信号の切替制御コードを示す図である。
【図１６】図１６は、光スイッチの切替判断を実施する中継局の例を示す図である。
【図１７】図１７は、タイマー機能を有する光スイッチの例を示す図である。
【図１８】図１８は、タイマー機能を有する光スイッチを多段構成にしたネットワーク例１を示す図である。
【図１９】図１９は、タイマー機能を有する光スイッチを多段構成にしたネットワーク例２を示す図である。
【発明を実施するための形態】
【００２０】
以下に、本願の開示する光伝送装置、光中継装置、光波長多重伝送装置、光スイッチおよび光伝送方法の実施例を図面に基づいて詳細に説明する。なお、この実施例によりこの発明が限定されるものではない。
【実施例１】
【００２１】
図１は、実施例１に係る光伝送システムの例を示す図である。図１に示すように、この光伝送システムは、送信局と中継局Ａと中継局Ｂと受信局とを有し、それぞれが２経路の光ファイバーで接続される。この光伝送システムでは、送信局から送信された光信号が中継局Ａ、中継局Ｂを介して受信局に伝送される。
【００２２】
［送信局の構成］
送信局１０は、図１に示すように、主信号送信器１０ａと光カプラ１０ｂと光増幅器１０ｃと光増幅器１０ｄとを有する。主信号送信器１０ａは、伝送対象となる主信号を生成して光カプラ１０ｂに出力する。光カプラ１０ｂは、主信号送信器１０ａから出力された主信号を光増幅器１０ｃと光増幅器１０ｄとに等分配するスプリッタなどである。光増幅器１０ｃと光増幅器１０ｄは、光カプラ１０ｂによって分配された主信号を一定の光パワーまで増幅させて、光信号として中継局Ａ２０に送信する。
【００２３】
［中継局の構成］
中継局Ａ２０は、図１に示すように、光スイッチ２０ａと副光源２０ｅと光カプラ２０ｆと光増幅器２０ｇと光増幅器２０ｈとを有する。光スイッチ２０ａは、図２に示すように、セレクタ２０ｂと副信号判定部２０ｃと切替制御部２０ｄとを有し、中継局Ａ２０が受信する光信号の受信経路を切り替えるスイッチである。
【００２４】
セレクタ２０ｂは、例えば切替制御部２０ｄの指示操作によって、送信局１０の光増幅器１０ｃから送信された光信号を受信するように制御し、また、送信局１０の光増幅器１０ｄから送信された光信号を受信するように制御するなど受信経路を切り替える。副信号判定部２０ｃは、受信された光信号に伝送対象となる主信号が含まれていない場合に、主信号とは波長が異なる副信号が光信号に含まれているか否かを判定し、その判定結果を切替制御部２０ｄに出力する。切替制御部２０ｄは、副信号判定部２０ｃによって、受信された光信号に副信号が含まれていると判定された場合に、現在接続されている経路を切り替えずに維持する。つまり、切替制御部２０ｄは、中継局Ａ２０が副信号を受信している間、セレクタ２０ｂの切替制御を抑止する。なお、図２は、実施例１に係る光スイッチの構成を示す機能ブロック図である。
【００２５】
図１に戻り、副光源２０ｅは、伝送対象の信号である主信号とは波長が異なる副信号を生成し、生成された副信号と主信号とを合波した光信号を生成する。例えば、副光源２０ｅは、光スイッチ２０ａによって受信された主信号に副信号を合波する。光カプラ２０ｆは、光スイッチ２０ａによって受信された主信号に副信号が合波された光信号を光増幅器２０ｇと光増幅器２０ｈとに等分配するスプリッタなどである。光増幅器２０ｇと光増幅器２０ｈは、光カプラ２０ｆによって分配された光信号を一定の光パワーまで増幅させて中継局Ｂ３０に送信する。
【００２６】
なお、中継局Ｂ３０は、中継局Ａ２０と同様の構成を有するので、ここでは詳細な説明は省略する。具体的には、中継局Ｂ３０の光スイッチ３０ａと副光源３０ｅと光カプラ３０ｆと光増幅器３０ｇと光増幅器３０ｈは、中継局Ａ２０の光スイッチ２０ａと副光源２０ｅと光カプラ２０ｆと光増幅器２０ｇと光増幅器２０ｈとのそれぞれに対応する。
【００２７】
［受信局の構成］
受信局４０は、図１に示すように、光スイッチ４０ａと主信号受信器４０ｂとを有する。光スイッチ４０ａは、中継局Ｂ３０から受信する光信号の受信経路を切り替えるスイッチであり、図２に示した中継局Ａ２０の光スイッチ２０ａと同様の機能を有する。主信号受信器４０ｂは、光スイッチ２０ａによって受信された光信号を終端し、当該光信号から主信号を抽出する。
【００２８】
［障害発生から復旧までの光スイッチの動作例］
次に、図３〜図５を用いて、図１に示した光伝送システムで障害が発生してから復旧するまでの光スイッチの動作について説明する。図３は、光スイッチ箇所における信号波形を示す図であり、図４は、送信局と中継局Ａ間でライン障害が発生した直後の信号波形を示す図であり、図５は、送信局と中継局Ａ間で発生したライン障害が復旧した場合の信号波形を示す図である。
【００２９】
（正常時の信号波形）
図３に示すように、どのライン（経路）でも障害が発生していない場合、中継局Ａ２０の光スイッチ２０ａには、送信局１０の光増幅器１０ｃ側と光増幅器１０ｄ側のそれぞれからは主信号が送信される。そして、中継局Ａ２０の光スイッチ２０ａは、送信局１０の光増幅器１０ｃ側と接続されているので、光増幅器１０ｃ側から主信号を受信する。
【００３０】
また、中継局Ｂ３０の光スイッチ３０ａには、中継局Ａ２０の光増幅器２０ｇ側と光増幅器２０ｈ側のそれぞれから主信号に副信号が合波された光信号が送信される。そして、中継局Ｂ３０の光スイッチ３０ａは、中継局Ａ２０の光増幅器２０ｇ側と接続されているので、光増幅器２０ｇ側から光信号を受信する。また、受信局４０の光スイッチ４０ａには、中継局Ｂ３０の光増幅器３０ｇ側と光増幅器３０ｈ側のそれぞれから主信号に副信号が合波された光信号が送信される。そして、受信局４０の光スイッチ４０ａは、中継局Ｂ３０の光増幅器３０ｇ側と接続されているので、光増幅器３０ｇ側から光信号を受信する。
【００３１】
（異常時の信号波形）
図３の状態で、図４に示すように、送信局１０の光増幅器１０ｃと中継局Ａ２０の光スイッチ２０ａとの間の光ファイバーで障害が発生したとする。この場合、中継局Ａ２０の光スイッチ２０ａには、送信局１０の光増幅器１０ｃ側からは主信号の入力が途絶える一方で、光増幅器１０ｄ側からは主信号が送信される。つまり、光増幅器１０ｃと接続される中継局Ａ２０の光スイッチ２０ａは、ＬＯＬ（Loss  Of  Light）を検出することとなる。この結果、中継局Ａ２０の光スイッチ２０ａからは主信号が出力されないので、光カプラ２０ｆは、副信号だけを光増幅器２０ｇと光増幅器２０ｈとのそれぞれに分配する。したがって、中継局Ａ２０から中継局Ｂ３０には、副信号だけが送信される。
【００３２】
このとき、中継局Ｂ３０の光スイッチ３０ａは、図４に示すように、中継局Ａ２０の光増幅器２０ｇから出力された副信号のみを受信する。そして、光スイッチ３０ａは、受信された光信号に主信号が含まれていないが副信号が含まれていると判定し、受信経路を切り替えずに維持する。このため、中継局Ｂ３０の光スイッチ３０ａから主信号が出力されず副信号のみが出力され、光カプラ３０ｆは、副信号をさらに合波した光信号を光増幅器３０ｇと光増幅器３０ｈとのそれぞれに分配する。したがって、中継局Ｂ３０から受信局４０には、副信号だけが送信される。
【００３３】
同様に、受信局４０の光スイッチ４０ａは、図４に示すように、中継局Ｂ３０の光増幅器３０ｇから出力された副信号のみを受信する。そして、光スイッチ４０ａは、受信された光信号に主信号が含まれていないが副信号が含まれていると判定し、受信経路を切り替えずに維持する。
【００３４】
上述したように、中継局Ａ２０の光スイッチ２０ａがＬＯＬを検出した場合でも、中継局Ｂ３０の光スイッチ３０ａおよび受信局４０の光スイッチ４０ａでは、主信号を受信していないが副信号が正常に受信できている。この結果、中継局Ｂ３０の光スイッチ３０ａおよび受信局４０の光スイッチ４０ａは、経路切替を抑止し、言い換えると、セレクタの切替を抑止して現状の接続を維持する。
【００３５】
（復旧後の信号波形）
ＬＯＬを検出した中継局Ａ２０の光スイッチ２０ａは、図５に示すように、受信した信号に主信号が含まれず、副信号も含まれていないことから、経路切替を実施する。つまり、中継局Ａ２０の光スイッチ２０ａは、送信局１０の光増幅器１０ｃとの接続から、光増幅器１０ｄとの接続に切り替える。言い換えると、光スイッチ２０ａは、光増幅器１０ｃから光信号を受信していた経路を光増幅器１０ｄから受信するように切り替える。この結果、中継局Ａ２０は、送信局１０の光増幅器１０ｄから光信号を受信することとなり、正常な信号を受信できる。したがって、中継局Ｂ３０および受信局４０においても、図２と同様の光信号の伝送が実施され、図５に示すように、主信号と副信号とが合波された光信号を受信できる。
【００３６】
［実施例１による効果］
このように、実施例１によれば、障害検出による光スイッチの不要な切り替えを防止し、障害復旧までに要する時間を短縮することが可能である。具体的には、中継局Ａ２０の光スイッチ２０ａにおいて障害が検出された場合でも、中継局Ｂ３０の光スイッチ３０ａおよび受信局４０の光スイッチ４０ａでは、副信号が受信できているので、切替を実施しないように制御する。この結果、障害発生に伴う光スイッチの無駄な切替の発生を防止できる。すなわち、障害発生による光スイッチのバタツキの発生を防止できる。また、光スイッチに遅延時間等が設定されていないことから、障害を検出した光スイッチでは、迅速に経路切替を実施できるので、障害復旧までに要する時間を短縮することができる。
【実施例２】
【００３７】
ところで、本願の開示する光スイッチや光伝送装置は、実施例１に開示した光伝送システム以外にも、ＷＤＭ（Wavelength  Division  Multiplexing）を用いた光ネットワークにも適用することができる。そこで、実施例２では、ＷＤＭを用いた光ネットワークの例について説明する。
【００３８】
［全体構成］
まず、図６を用いて、実施例２に係る光ネットワークの全体構成を説明する。図６は、実施例２に係る光ネットワークの全体構成を示す図である。図６に示すように、この光ネットワークは、ＷＤＭ送信局１００とＷＤＭ中継局２００とＷＤＭ中継局３００とＷＤＭ中継局４００とＷＤＭ中継局５００とＷＤＭ中継局６００とＷＤＭ受信局７００とが光ファイバーで接続され、２つのＷＤＭリングを形成する。
【００３９】
そして、ＷＤＭ送信局１００は、伝送対象となる主信号をＷＤＭ受信局７００に送信するイングレス（ingress）局であり、ＷＤＭ受信局７００は、ＷＤＭ送信局１００から主信号を受信するエグレス（egress）局である。また、ＷＤＭ中継局３００とＷＤＭ中継局６００は、光増幅器のみを有する線形中継局であり、ＷＤＭ中継局２００とＷＤＭ中継局５００は、伝送波形の劣化や雑音の累積を解消できる再生中継局である。
【００４０】
ここで、図６に示した光ネットワークにおける光信号の伝送経路を簡単に説明する。ＷＤＭ送信局１００は、主信号１送信器〜主信号ｎ送信器各々から送信された主信号を多重した信号に副信号を合波したＷＤＭ信号を生成する。そして、ＷＤＭ送信局１００は、ＷＤＭ中継局２００が接続されるＷＤＭ  ＬＩＮＥの１側と、ＷＤＭ中継局３００が接続されるＷＤＭ  ＬＩＮＥ２側の両方向にそれぞれ送信する。
【００４１】
続いて、ＷＤＭ中継局２００は、ＷＤＭ送信局１００から受信したＷＤＭ信号から副信号を分波した主信号をRegeneretor（以下、ＲＥＧという）に通し、伝送波形の劣化や雑音の累積を解消する。そして、ＷＤＭ中継局２００は、ＲＥＧを通過した主信号に副信号を合波したＷＤＭ信号を生成し、ＷＤＭ中継局４００に送信する。一方、ＷＤＭ中継局３００は、ＷＤＭ送信局１００から受信したＷＤＭ信号を一定の光パワーまで増幅させてＷＤＭ中継局４００に送信する。
【００４２】
続いて、ＷＤＭ中継局４００は、ＷＤＭ中継局２００から受信したＷＤＭ信号とＷＤＭ中継局３００から受信したＷＤＭ信号のいずれかをＤｒｏｐ信号とするかを光スイッチで選択する。そして、ＷＤＭ中継局４００は、光スイッチでＤｒｏｐされたＷＤＭ信号に対して副信号を合波して、ＷＤＭ中継局５００が接続されるＷＤＭ  ＬＩＮＥの３側と、ＷＤＭ中継局６００が接続されるＷＤＭ  ＬＩＮＥ４側の両方向にそれぞれ送信する。
【００４３】
続いて、ＷＤＭ中継局５００は、ＷＤＭ中継局２００と同様の処理を実行してＷＤＭ受信局７００にＷＤＭ信号を送信する。ＷＤＭ中継局６００は、ＷＤＭ中継局３００と同様の処理を実行してＷＤＭ受信局７００にＷＤＭ信号を送信する。
【００４４】
その後、ＷＤＭ受信局７００は、ＷＤＭ中継局４００と同様、ＷＤＭ中継局５００から受信したＷＤＭ信号とＷＤＭ中継局６００から受信したＷＤＭ信号のいずれかをＤｒｏｐ信号とするかを光スイッチで選択する。この結果、ＷＤＭ受信局７００は、ＷＤＭ送信局１００から送信されたＷＤＭ信号を受信でき、伝送対象である主信号を受信することができる。
【００４５】
［各装置の構成］
次に、図６に示した光ネットワークが有する各装置の構成について説明する。ここで、ＷＤＭ送信局１００、ＷＤＭ中継局２００、ＷＤＭ中継局３００、ＷＤＭ中継局４００、ＷＤＭ中継局５００、ＷＤＭ中継局６００、ＷＤＭ受信局７００の順に説明する。
【００４６】
（ＷＤＭ送信局１００の構成）
ＷＤＭ送信局１００は、主信号１送信器１０１ａ〜主信号ｎ送信器１０１ｎ（ｎは任意の自然数）と、光カプラ１０２ａ〜光カプラ１０２ｎ（主信号のｎと同様）と、ＡＷＧ（アレイ導波路回折格子：Array  Waveguide  Gratings）１０３とを有する。さらに、ＷＤＭ送信局１００は、光増幅器１０４と光増幅器１０５と、副信号制御部１０６と、副信号送信器１０７と副信号送信器１０８とを有する。
【００４７】
主信号１送信器１０１ａ〜主信号ｎ送信器１０１ｎ各々は、光カプラ１０２ａ〜光カプラ１０２ｎ各々と接続され、ペイロードに所望のデータが含まれる主信号を生成して、各光カプラに出力する。例えば、主信号１送信器１０１ａは、主信号を生成して光カプラ１０２ａに出力し、主信号３送信器１０１ｃは、主信号を生成して光カプラ１０２ｃに出力し、主信号７送信器１０１ｇは、主信号を生成して光カプラ１０２ｇに出力する。なお、主信号送信器は、任意に設定可能な多重（チャネル）数分だけ有する。つまり、多重数分を１０とする場合、主信号送信器は、主信号１送信器１０１ａ〜主信号１０送信器１０１ｊだけ有する。
【００４８】
光カプラ１０２ａ〜光カプラ１０２ｎは、主信号１送信器１０１ａ〜主信号ｎ送信器１０１ｎ各々から出力された主信号を２系統に等分配してＡＷＧ１０３に出力する。例えば、光カプラ１０２ａは、主信号１送信器１０１ａから受信した主信号を、ＷＤＭ中継局２００への送信用とＷＤＭ中継局３００への送信用との２系統に等分配してＡＷＧ１０３に出力する。なお、光カプラは、主信号送信器の数だけ設置される。
【００４９】
ＡＷＧ１０３は、光カプラ１０２ａ〜光カプラ１０２ｎ各々から出力された２系統の主信号各々を多重して光増幅器に出力する。例えば、ＡＷＧ１０３は、光カプラ１０２ａ〜光カプラ１０２ｎ各々からＷＤＭ中継局２００への送信用として出力された主信号を多重して光増幅器１０４に出力する。同様に、ＡＷＧ１０３は、光カプラ１０２ａ〜光カプラ１０２ｎ各々からＷＤＭ中継局３００への送信用として出力された主信号を多重して光増幅器１０５に出力する。
【００５０】
光増幅器１０４は、ＡＷＧ１０３から出力された主信号を一定の光パワーに増幅させてＷＤＭ中継局２００に対して出力する。同様に、光増幅器１０５は、ＡＷＧ１０３から出力された主信号を一定の光パワーに増幅させてＷＤＭ中継局３００に対して出力する。
【００５１】
副信号制御部１０６は、光増幅器１０４または光増幅器１０５から出力された主信号に合波する副信号の制御情報を生成する。具体的には、副信号制御部１０６は、多重される各チャネルごとに、「ＷＣＳフラグ、切替許可フラグ、障害検出フラグ」のフラグ内容を生成する。そして、副信号制御部１０６は、生成した各チャネルごとの副信号を副信号送信器１０７と副信号送信器１０８とのそれぞれに出力する。
【００５２】
ここで生成される「ＷＣＳフラグ」は、光波長の運用状態を示す情報であり、運用状態であれば「ＯＮ」、非運用状態であれば「ＯＦＦ」が設定される。「切替許可フラグ」は、主信号の送信先となる下流ノードへの光スイッチの切替許可を示す情報であり、光スイッチの切替を許可する場合には「ＯＮ（enable）」が設定され、許可しない場合には「ＯＦＦ（disable）」が設定される。「障害検出フラグ」は、下流ノードに光スイッチの切替を促す情報であり、下流ノードに光スイッチの切替を実施させる場合には「ＯＮ」、実施させない場合には「ＯＦＦ」が設定される。
【００５３】
例えば、図７を用いて、副信号制御部１０６が生成する副信号のデータフレームの例を説明する。図７は、ＯＴＮ（Optical  Transport  Network）フレームを用いた副信号の例を示す図である。図７に示すように、ＯＴＮフレームは、ＦＡＳ（Frame  Alignment  Signal）等の情報を含むオーバーヘッド（ＯＨ）と、ペイロード領域等を示すＯＰＵ（Optical  Channel  Payload  Unit）と、誤り訂正信号を示すＦＥＣ（Forward  Error  Correction）とを有する。そして、副信号制御部１０６は、ＯＴＮフレームのＯＰＵに切替制御コードの領域を設け、この領域に各チャネル（wch.1〜wch.n）ごとのフラグを格納する。各チャネルのフラグは、上記「ＷＣＳフラグ、切替許可フラグ、障害検出フラグ」を有する。
【００５４】
ここで格納される「ＷＣＳフラグ、切替許可フラグ、障害検出フラグ」は、デフォルト値としては「ＯＮ、ＯＮ、ＯＦＦ」が設定されている。つまり、デフォルト値が設定された副信号を受信する各装置は、光ネットワークが運用状態であり、任意のタイミングで光スイッチの切替を実施することができるが、障害による切替が許可されていないこととなる。
【００５５】
このような状態において、副信号制御部１０６は、管理者等の指示操作により、運用状態を非運用状態に変更する場合には、「ＷＣＳフラグ」を「ＯＮ」から「ＯＦＦ」に変更した副信号を生成する。また、副信号制御部１０６は、１側または２側のいずれかでＬＩＮ障害等が発生した場合には、「切替許可フラグ」を「ＯＮ」から「ＯＦＦ」に変更した副信号を生成して下流に送信することで、光スイッチのバタツキを防止する。また、副信号制御部１０６は、障害を検知し、光スイッチの即動切替が必要な場合には、「障害検出フラグ」を「ＯＦＦ」から「ＯＮ」に変更した副信号を生成して下流に送信することで、光スイッチの即動切替を促す。
【００５６】
図６に戻り、副信号送信器１０７は、光増幅器１０４から出力された主信号に、副信号制御部１０６によって生成された副信号を合波したＷＤＭ信号を生成し、生成したＷＤＭ信号を光ファイバーで接続されるＷＤＭ中継局２００に送信する。副信号送信器１０８は、光増幅器１０５から出力された主信号に、副信号制御部１０６によって生成された副信号を合波したＷＤＭ信号を生成し、生成したＷＤＭ信号を光ファイバーで接続されるＷＤＭ中継局３００に送信する。
【００５７】
（ＷＤＭ中継局２００の構成）
図６に示すように、ＷＤＭ中継局２００は、副信号受信器２０１と副信号制御部２０２と副信号送信器２０３と光増幅器２０４とＡＷＧ２０５とＲＥＧ１〜ＲＥＧｎと光増幅器２０６とを有する再生中継局である。
【００５８】
副信号受信器２０１は、ＷＤＭ送信局１００から受信したＷＤＭ信号から副信号を分波する。例えば、副信号受信器２０１は、ＷＤＭ送信局１００から受信したＷＤＭ信号から副信号のみを取得して副信号制御部２０２に出力する。この結果、光増幅器２０４には、ＷＤＭ送信局１００から受信したＷＤＭ信号のうち主信号のみが入力される。
【００５９】
副信号制御部２０２は、副信号に含まれる切替制御コードを参照して各種処理を実行し、また、ＲＥＧ１〜ＲＥＧｎから出力された主信号の状態などに応じて副信号に含める制御コードを決定する。具体的には、副信号制御部２０２は、図８に示すような動作判断情報を保持し、この情報に基づいて切替制御コードを生成する。なお、この動作判断情報は、ＷＤＭ中継局２００のメモリなどの記憶部に保持されていてもよく、副信号制御部２０２内の内部メモリなどに保持することもできる。また、図８は、動作判断情報の例を示す図である。
【００６０】
動作判断情報は、図８に示すように、「副信号の入力パワーレベル、主信号の入力パワーレベル、動作内容」を有する。かかる「副信号の入力パワーレベル」は、副信号制御部２０２に副信号が入力されたか否かや副信号に含まれる「障害検出フラグ」の状態によって特定される情報である。また、「主信号の入力パワーレベル」は、ＲＥＧ１〜ＲＥＧｎ各々に主信号が入力されたか否かによって特定される情報である。「動作内容」は、「副信号の入力パワーレベル、主信号の入力パワーレベル」とによって特定された状態に応じて、副信号制御部２０２が実施する動作内容である。
【００６１】
例えば、副信号制御部２０２は、動作判断情報として、「副信号の入力パワーレベル、主信号の入力パワーレベル、動作内容」として「信号無し、信号無し、下流側に障害検出フラグ＝ＯＮおよび切替許可フラグ＝ＯＮを設定」などを記憶する。また副信号制御部２０２は、「信号有りかつ障害検出フラグ＝ＯＮ、信号無し、障害検出フラグおよび切替許可フラグをスルー」、「信号有りかつ障害検出フラグ＝ＯＦＦ、信号無し、障害検出フラグおよび切替許可フラグをスルー」を記憶する。また、副信号制御部２０２は、「信号無し、信号有り、障害検出フラグは前値保持および切替許可フラグ＝ＯＮを設定」を記憶する。また、副信号制御部２０２は、「信号有りかつ障害検出フラグ＝ＯＮ、信号有り、障害検出フラグおよび切替許可フラグをスルー」、「信号有りかつ障害検出フラグ＝ＯＦＦ、信号有り、障害検出フラグおよび切替許可フラグをスルー」を記憶する。
【００６２】
具体的には、副信号制御部２０２は、副信号も主信号も正常に受信できなかった場合に、「障害検出フラグ＝ＯＮ」および「切替許可フラグ＝ＯＮ」にした副信号を生成して下流へ送信する。また、副信号制御部２０２は、主信号を受信できたが副信号を受信できなかった場合には、受信した副信号に含まれる「障害検出フラグ」を変更せず、「切替許可フラグ」を「ＯＮ」にした副信号を生成して下流へ送信する。また、副信号制御部２０２は、副信号を受信できたが主信号を受信できなかった場合には、「障害検出フラグ」に以前受信した副信号に含まれる「障害検出フラグの値」、「切替許可フラグ＝ＯＮ」とする副信号を生成して下流へ送信する。また、副信号制御部２０２は、副信号も主信号も正常に受信できた場合には、受信した副信号に含まれる「障害検出フラグ」および「切替許可フラグ」を変更することなく、副信号を生成して下流へ送信する。なお、以前受信した副信号の情報は所定の記憶領域等に記憶しておくことができる。
【００６３】
つまり、副信号制御部２０２は、「障害検出フラグ」が「ＯＮ」であった場合には、上流で障害が発生しており即動切替が必要な状態であるので、各チャネルの「障害検出フラグ」を「ＯＮ」にした副信号を生成する。また、副信号制御部２０２は、ＲＥＧ３などが故障により主信号を生成できない場合には、ＲＥＧ３に対応した「障害検出フラグ」を「ＯＮ」にした副信号を生成する。
【００６４】
また、副信号制御部２０２は、ＲＥＧ１への入力信号に障害（例えば、ＬＯＳ、ＬＯＦ、ＢＥＲＳＦ／ＳＤ）が発生した場合には、主信号１を正しく受信できていないと判断する。そして、副信号制御部２０２は、チャネル１に対応する「障害検出フラグ＝ＯＮ、切替許可フラグ＝ＯＮ」にして下流に送信する。下流の光スイッチが実装されたノードでの光スイッチの切替をリクエストできる。
【００６５】
副信号送信器２０３は、副信号制御部２０２によって生成された各チャネルごとの切替制御コードを含む副信号を、後述する光増幅器２０６から出力された主信号に合波したＷＤＭ信号を生成する。生成されたＷＤＭ信号は、ＷＤＭ中継局４００に出力される。
【００６６】
光増幅器２０４は、ＷＤＭ送信局１００から受信したＷＤＭ信号のうち副信号受信器２０１によって分波された副信号を除く主信号を一定の光パワーに増幅させて、ＡＷＧ２０５に出力する。
【００６７】
ＡＷＧ２０５は、光増幅器２０４から出力された主信号を各チャネルごと、すなわち、各周波数ごとの主信号に分割（分波）する。そして、ＡＷＧ２０５は、分割した各周波数ごとの主信号を対応するＲＥＧに出力する。例えば、ＡＷＧ２０５は、光増幅器２０４から出力された主信号を主信号１、主信号２、・・・、主信号ｎに分波する。そして、ＡＷＧ２０５は、分波して得られた主信号１、主信号２、・・・、主信号ｎをそれぞれのＲＥＧ１、ＲＥＧ２、・・・、ＲＥＧｎに出力する。また、ＡＷＧ２０５は、ＲＥＧ１、ＲＥＧ２、・・・、ＲＥＧｎ各々から出力された主信号１、主信号２、・・・、主信号ｎを多重して主信号を生成し、多重化された主信号を光増幅器２０６に出力する。
【００６８】
ＲＥＧ１〜ＲＥＧｎ各々は、ＡＷＧ２０５から出力された周波数信号である主信号を電気信号に変換した後に、さらに周波数信号の主信号に変換してＡＷＧ２０５に出力する３Ｒ  Ｒｅｇｅｎｅｒａｔｏｒカードである。例えば、ＲＥＧ１〜ＲＥＧｎ各々は、ＡＷＧ２０５から主信号を受信できない場合でも、ペイロードを空にした主信号を新たに生成してＡＷＧ２０５に出力する。この場合、ＲＥＧ１〜ＲＥＧｎ各々は、新たに主信号を生成したことを副信号制御部２０２に通知する。この通知を受けた副信号制御部２０２は、新たに主信号が生成されたチャネルの「障害検出フラグ＝ＯＮ、切替許可フラグ＝ＯＮ」に設定する。
【００６９】
光増幅器２０６は、ＡＷＧ２０５から出力された主信号を一定の光パワーまで増幅させてＷＤＭ中継局４００に出力する。なお、光増幅器２０６から出力された主信号に対して、副信号送信器２０３が副信号を合波する。そして、主信号と副信号とが合波されたＷＤＭ信号がＷＤＭ中継局４００に出力される。
【００７０】
（ＷＤＭ中継局３００の構成）
図６に示すように、ＷＤＭ中継局３００は、光増幅器３０１を有する線形中継局である。この光増幅器３０１は、ＷＤＭ送信局２０５から出力されたＷＤＭ信号を一定の光パワーに増幅させてＷＤＭ中継局４００に送信する。この結果、伝送経路で劣化したＷＤＭ信号の光パワーを増幅させて中継することができる。
【００７１】
（ＷＤＭ中継局４００の構成）
図６に示すように、ＷＤＭ中継局４００は、副信号受信器４０１と副信号受信器４０２と、切替制御部４０３と、副信号送信器４０４と副信号送信器４０５とを有する。さらに、ＷＤＭ中継局４００は、光増幅器４０６と光増幅器４０７と、ＡＷＧ４０８と、光スイッチ４０９ａ〜光スイッチ４０９ｎと、光カプラ４１０ａ〜光カプラ４１０ｎと、ＡＷＧ４１１と、光増幅器４１２と光増幅器４１３とを有する。
【００７２】
副信号受信器４０１は、ＷＤＭ中継局２００から受信したＷＤＭ信号から副信号を分波する。例えば、副信号受信器４０１は、ＷＤＭ中継局２００から受信したＷＤＭ信号から副信号のみを取得して切替制御部４０３に出力する。この結果、光増幅器４０６には、ＷＤＭ中継局２００から受信したＷＤＭ信号のうち主信号のみが入力される。同様に、副信号受信器４０２は、ＷＤＭ中継局３００から受信したＷＤＭ信号から副信号を分波する。例えば、副信号受信器４０２は、ＷＤＭ中継局３００から受信したＷＤＭ信号から副信号のみを取得して切替制御部４０３に出力する。この結果、光増幅器４０７には、ＷＤＭ中継局３００から受信したＷＤＭ信号のうち主信号のみが入力される。
【００７３】
切替制御部４０３は、受信された副信号に含まれる切替制御コードに基づいて光スイッチ４０９ａ〜光スイッチ４０９ｎの切替制御を実施するとともに、下流に送信する副信号を生成する。具体的には、切替制御部４０３は、光スイッチ各々について切替判定を実施し、光スイッチ各々に対して切替指示または接続維持（切替未実施）等の指示を出力する。切替制御部４０３が実施する切替判定処理は、図１０を用いて具体的に説明するので、ここでは簡単に説明する。なお、切替制御部４０３は、副信号については副信号受信部４０１または副信号受信部４０２から受信することができ、主信号の光パワーレベルについては、光スイッチ４０９ａ〜光スイッチ４０９ｎ各々から取得することができる。
【００７４】
例えば、切替制御部４０３は、光スイッチが接続されているＷＤＭ中継局等から副信号を受信できない状態で、光スイッチが接続されていない他方のＷＤＭ中継局等から主信号を受信できている場合には、光スイッチの接続を他方に切り替える。また、切替制御部４０３は、光スイッチが接続されているＷＤＭ中継局等から受信した副信号の「障害検出フラグ」が「ＯＮ」であるとする。この場合に、切替制御部４０３は、光スイッチが接続されていない他方のＷＤＭ中継局等から受信した副信号の「切替許可フラグ」が「ＯＮ」であり「障害検出フラグ」が「ＯＦＦ」である場合には、光スイッチの接続を他方に切り替える。一方、切替制御部４０３は、光スイッチが接続されていない他方のＷＤＭ中継局等から受信した副信号の「切替許可フラグ」が「ＯＦＦ」または「障害検出フラグ」が「ＯＮ」である場合には、光スイッチの接続を切り替えずに維持する。
【００７５】
また、切替制御部４０３は、受信された主信号や副信号の状態に応じて下流に送信する副信号に含める切替制御コードを決定する。そして、切替制御部４０３は、決定した切替制御コードを含む副信号を生成して副信号送信器４０４と副信号送信器４０５各々に出力する。
【００７６】
具体的には、切替制御部４０３は、図９に示すような動作判断情報を保持し、この情報に基づいて切替制御コードを生成する。なお、この動作判断情報は、ＷＤＭ中継局４００のメモリなどの記憶部に保持されていてもよく、切替制御部４０３内の内部メモリなどに保持することもできる。また、図９は、動作判断情報の例を示す図である。
【００７７】
動作判断情報は、図９に示すように、「副信号の入力パワーレベル、主信号の入力パワーレベル、動作内容」を有する。「副信号の入力パワーレベル、主信号の入力パワーレベル、動作内容」が示す内容は、図８と同様であるので、ここでは省略する。
【００７８】
例えば、切替制御部４０３は、動作判断情報として、「副信号の入力パワーレベル、主信号の入力パワーレベル、動作内容」として「信号無し、信号無し、切替判定処理」、「信号有りかつ障害検出フラグ＝ＯＮ、信号無し、切替判定処理」などを記憶する。また、切替制御部４０３は、「信号有りかつ障害検出フラグ＝ＯＦＦ、信号無し、障害検出フラグおよび切替許可フラグをスルー」を記憶する。また、切替制御部４０３は、「信号無し、信号有り、障害検出フラグは前値保持および切替許可フラグ＝ＯＮを設定」を記憶する。また、切替制御部４０３は、「信号有りかつ障害検出フラグ＝ＯＮ、信号有り、切替判定処理」、「信号有りかつ障害検出フラグ＝ＯＦＦ、信号有り、障害検出フラグおよび切替許可フラグをスルー」を記憶する。
【００７９】
具体的には、切替制御部４０３は、図９に示した判断基準に従って、図１０に示す切替判定処理を実施する。また、切替制御部４０３は、「障害検出フラグ＝ＯＮ」の副信号を受信できている場合には、主信号が受信できているかいないかに関わらず、図１０に示す切替判定処理を実施する。なお、切替制御部４０３は、光スイッチの切替が実行されて主信号も副信号も正常に受信できるようになった場合には、切替制御コードの各フラグをデフォルト値にした副信号を生成して、下流に送信する。
【００８０】
また、切替制御部４０３は、「障害検出フラグ＝ＯＮ」の副信号が受信できており、「主信号が受信できていない」状態の場合には、図１０に示す切替判定処理を実施する。また、切替制御部４０３は、「障害検出フラグ＝ＯＦＦ」の副信号が受信できており、「主信号が受信できていない」状態の場合には、受信した副信号の含まれる「障害検出フラグ」および「切替許可フラグ」を変更することなく、副信号を生成して下流へ送信する。また、切替制御部４０３は、「副信号が受信できていない」かつ「主信号が受信できている」状態の場合には、「障害検出フラグ」を以前受信した副信号に含まれる「障害検出フラグの値」、「切替許可フラグ」を「ＯＮ」にした副信号を生成して下流へ送信する。また、切替制御部４０３は、「障害検出フラグ＝ＯＦＦ」の副信号受信できており、「主信号が受信できている」状態の場合には、受信した副信号の含まれる「障害検出フラグ」および「切替許可フラグ」を変更することなく、副信号を生成して下流へ送信する。なお、以前受信した副信号の情報は所定の記憶領域等に記憶しておくことができる。つまり、ＷＤＭ中継局４００は、障害を検出した場合には、光スイッチを切替えて復旧させる。
【００８１】
図６に戻り、副信号送信器４０４は、切替制御部４０３によって生成された各チャネルごとの切替制御コードを含む副信号を、後述する光増幅器４１２から出力された主信号に合波したＷＤＭ信号を生成する。生成されたＷＤＭ信号は、ＷＤＭ中継局５００に出力される。同様に、副信号送信器４０５は、切替制御部４０３によって生成された各チャネルごとの切替制御コードを含む副信号を、後述する光増幅器４１３から出力された主信号に合波したＷＤＭ信号を生成する。生成されたＷＤＭ信号は、ＷＤＭ中継局６００に出力される。
【００８２】
光増幅器４０６は、ＷＤＭ中継局２００から受信したＷＤＭ信号のうち副信号受信器４０１によって分波された副信号を除く主信号を一定の光パワーに増幅させて、ＡＷＧ４０８に出力する。同様に、光増幅器４０７は、ＷＤＭ中継局３００から受信したＷＤＭ信号のうち副信号受信器４０２によって分波された副信号を除く主信号を一定の光パワーに増幅させて、ＡＷＧ４０８に出力する。
【００８３】
ＡＷＧ４０８は、光増幅器４０６から出力された主信号を各チャネルごと、すなわち、各周波数ごとの主信号に分割（分波）する。そして、ＡＷＧ４０８は、分割した各周波数ごとの主信号を対応する光スイッチに出力する。例えば、ＡＷＧ４０８は、光増幅器４０６から出力された主信号を主信号１、主信号２、・・・、主信号ｎに分波する。そして、ＡＷＧ４０８は、分波して得られた主信号１、主信号２、・・・、主信号ｎをそれぞれの光スイッチ４０９ａ、光スイッチ４０９ｂ、・・・、光スイッチ４０９ｎに出力する。
【００８４】
また、ＡＷＧ４０８は、光増幅器４０７から出力された主信号についても同様の処理を実行する。具体的には、ＡＷＧ４０８は、各周波数ごとの主信号に分割（分波）し、分割した各周波数ごとの主信号を対応する光スイッチに出力する。例えば、ＡＷＧ４０８は、光増幅器４０７から出力された主信号を主信号１、主信号２、・・・、主信号ｎに分波する。そして、ＡＷＧ４０８は、分波して得られた主信号１、主信号２、・・・、主信号ｎをそれぞれの光スイッチ４０９ａ、光スイッチ４０９ｂ、・・・、光スイッチ４０９ｎに出力する。
【００８５】
光スイッチ４０９ａ〜光スイッチ４０９ｎ各々は、ＡＷＧ２０８から出力された主信号を受信して、受信した光パワーレベルを切替制御部４０３に出力する。また、光スイッチ４０９ａ〜光スイッチ４０９ｎ各々は、対応する光カプラ４１０ａ〜光カプラ４１０ｎ各々にＡＷＧ４０８から受信した主信号を出力する。また、光スイッチ４０９ａ〜光スイッチ４０９ｎ各々は、切替制御部４０３の指示操作によって、ＷＤＭ中継局２００側またはＷＤＭ中継局３００側にセレクタを切り替える。なお、光スイッチは、主信号送信器の数だけ設置される。
【００８６】
光カプラ４１０ａ〜光カプラ４１０ｎは、光スイッチ４０９ａ〜光スイッチ４０９ｎ各々から出力された主信号を２系統に等分配してＡＷＧ４１１に出力する。例えば、光カプラ４１０ａは、光スイッチ４０９ａから受信した主信号を、ＷＤＭ中継局５００への送信用とＷＤＭ中継局６００への送信用との２系統に等分配してＡＷＧ４１１に出力する。なお、光カプラは、主信号送信器の数だけ設置される。
【００８７】
ＡＷＧ４１１は、光カプラ４１０ａ〜光カプラ４１０ｎ各々から出力された２系統の主信号各々を多重して光増幅器に出力する。例えば、ＡＷＧ４１１は、光カプラ４１０ａ〜光カプラ４１０ｎ各々からＷＤＭ中継局５００への送信用として出力された主信号を多重して光増幅器４１２に出力する。同様に、ＡＷＧ４１１は、光カプラ４１０ａ〜光カプラ４１０ｎ各々からＷＤＭ中継局６００への送信用として出力された主信号を多重して光増幅器４１３に出力する。
【００８８】
光増幅器４１２は、ＡＷＧ４１１から出力された主信号を一定の光パワーに増幅させてＷＤＭ中継局５００に対して出力する。同様に、光増幅器４１３は、ＡＷＧ４１１から出力された主信号を一定の光パワーに増幅させてＷＤＭ中継局６００に対して出力する。
【００８９】
（ＷＤＭ中継局５００およびＷＤＭ中継局６００の構成）
ＷＤＭ中継局５００は、ＷＤＭ中継局２００と同様の構成を有し、同様の処理を実行するので、詳細な説明は省略する。また、ＷＤＭ中継局６００は、ＷＤＭ中継局３００と同様の構成を有し、同様の処理を実行するので、詳細な説明は省略する。
【００９０】
（ＷＤＭ受信局７００の構成）
図６に示すように、ＷＤＭ受信局７００は、副信号受信器７０１と副信号受信器７０２と、切替制御部７０３と、光増幅器７０４と、光増幅器７０５と、ＡＷＧ７０６とを有する。さらに、ＷＤＭ受信局７００は、光スイッチ７０７ａ〜光スイッチ７０７ｎと、主信号１受信器７０８ａ〜主信号ｎ受信器７０８ｎとを有する。
【００９１】
副信号受信器７０１は、ＷＤＭ中継局５００から受信したＷＤＭ信号から副信号を分波する。例えば、副信号受信器７０１は、ＷＤＭ中継局５００から受信したＷＤＭ信号から副信号のみを取得して切替制御部７０３に出力する。この結果、光増幅器７０４には、ＷＤＭ中継局５００から受信したＷＤＭ信号のうち主信号のみが入力される。同様に、副信号受信器７０２は、ＷＤＭ中継局６００から受信したＷＤＭ信号から副信号を分波する。例えば、副信号受信器７０２は、ＷＤＭ中継局６００から受信したＷＤＭ信号から副信号のみを取得して切替制御部７０３に出力する。この結果、光増幅器７０５には、ＷＤＭ中継局６００から受信したＷＤＭ信号のうち主信号のみが入力される。
【００９２】
切替制御部７０３は、受信された副信号に含まれる切替制御コードに基づいて光スイッチ７０７ａ〜光スイッチ７０７ｎの切替制御を実施する。具体的には、切替制御部７０３は、光スイッチ各々について切替判定を実施し、光スイッチ各々に対して切替指示または接続維持（切替未実施）等の指示を出力する。切替制御部７０３が実施する切替判定処理は、ＷＤＭ中継局４００の切替制御部４０３と同様であり、図１０を用いて具体的に説明するので、ここでは省略する。
【００９３】
光増幅器７０４は、ＷＤＭ中継局５００から受信したＷＤＭ信号のうち副信号受信器７０１によって分波された副信号を除く主信号を一定の光パワーに増幅させて、ＡＷＧ７０６に出力する。同様に、光増幅器７０５は、ＷＤＭ中継局６００から受信したＷＤＭ信号のうち副信号受信器７０２によって分波された副信号を除く主信号を一定の光パワーに増幅させて、ＡＷＧ７０６に出力する。
【００９４】
ＡＷＧ７０６は、光増幅器７０４から出力された主信号を各チャネルごと、すなわち、各周波数ごとの主信号に分割（分波）する。そして、ＡＷＧ７０６は、分割した各周波数ごとの主信号を対応する光スイッチに出力する。例えば、ＡＷＧ７０６は、光増幅器７０４から出力された主信号を主信号１、主信号２、・・・、主信号ｎに分波する。そして、ＡＷＧ７０６は、分波して得られた主信号１、主信号２、・・・、主信号ｎをそれぞれの光スイッチ７０７ａ、光スイッチ７０７ｂ、・・・、光スイッチ７０７ｎに出力する。
【００９５】
また、ＡＷＧ７０６は、光増幅器７０５から出力された主信号についても同様の処理を実行する。具体的には、ＡＷＧ７０６は、各周波数ごとの主信号に分割（分波）し、分割した各周波数ごとの主信号を対応する光スイッチに出力する。例えば、ＡＷＧ７０６は、光増幅器７０５から出力された主信号を主信号１、主信号２、・・・、主信号ｎに分波する。そして、ＡＷＧ７０６は、分波して得られた主信号１、主信号２、・・・、主信号ｎをそれぞれの光スイッチ７０７ａ、光スイッチ７０７ｂ、・・・、光スイッチ７０７ｎに出力する。
【００９６】
光スイッチ７０７ａ〜光スイッチ７０７ｎ各々は、ＡＷＧ７０６から出力された主信号を受信して、受信した光パワーレベルを切替制御部７０３に出力する。また、光スイッチ７０７ａ〜光スイッチ７０７ｎ各々は、対応する主信号１受信器７０８ａ〜主信号ｎ受信器７０８ｎ各々にＡＷＧ７０６から受信した主信号を出力する。また、光スイッチ７０７ａ〜光スイッチ７０７ｎ各々は、切替制御部７０３の指示操作によって、ＷＤＭ中継局５００側またはＷＤＭ中継局６００側にセレクタを切り替える。なお、光スイッチは、主信号送信器の数だけ設置される。
【００９７】
主信号１受信器７０８ａ〜主信号ｎ受信器７０８ｎ各々は、主信号を受信して終端させる。例えば、主信号１受信器７０８ａは、光スイッチ７０７ａから出力された主信号を受信する。この結果、ＷＤＭ受信局７００は、ＷＤＭ送信局１００から送信された主信号を受信することができる。なお、切替制御部７０３は、主信号の光パワーレベルを主信号１受信器７０８ａ〜主信号ｎ受信器７０８ｎ各々から取得することもできる。
【００９８】
［切替判定処理の流れ］
次に、図１０を用いて、ＷＤＭ中継局４００の切替制御部４０３やＷＤＭ受信局７００の切替制御部７０３が実行する切替判定処理の流れを説明する。図１０は、切替判定処理の流れを示すフローチャートである。また、ＷＤＭ中継局４００の切替制御部４０３やＷＤＭ受信局７００の切替制御部７０３は、光スイッチごとに切替判定処理を実行する。なお、ここでは、ＷＤＭ中継局４００の切替制御部４０３が実行する例について説明する。
【００９９】
図１０に示すように、切替制御部４０３は、「光スイッチ４０９ａ〜光スイッチ４０９ｎにより副信号が受信された」または受信された副信号の「切替許可フラグ」が「ＯＮ」であるか否かを判定する（ステップＳ１０１）。
【０１００】
続いて、切替制御部４０３は、「副信号が受信された」または受信された副信号の「切替許可フラグ」が「ＯＮ」である場合（ステップＳ１０１肯定）、ステップＳ１０２を実行する。具体的には、切替制御部４０３は、切替先の装置で障害が発生しておらず、かつ、切替先の装置から受信された副信号の「障害検出フラグ」が「ＯＦＦ」であるか否かを判定する。つまり、切替制御部４０３は、光スイッチと現時点で接続されていない切替先の中継局等から正常動作をしており、正常な副信号を含む正常なＷＤＭ信号が受信できているか否かを判定する。
【０１０１】
そして、切替制御部４０３は、切替先の装置で障害が発生しておらず、かつ、切替先の装置から受信された副信号の「障害検出フラグ」が「ＯＦＦ」である場合（ステップＳ１０２肯定）、ステップＳ１０３を実行する。具体的には、切替制御部４０３は、切替先の装置から受信された副信号の「切替許可フラグ」が「ＯＮ」であるか否かを判定する。つまり、切替制御部４０３は、光スイッチと現時点で接続されておらず、正常に動作している切替先の中継局等から切替が許可されたことを示す副信号を含むＷＤＭ信号が受信できているか否かを判定する。
【０１０２】
その後、切替制御部４０３は、切替先の装置から受信された副信号の「切替許可フラグ」が「ＯＮ」である場合（ステップＳ１０３肯定）、切替先の装置からＷＤＭ信号を受信するようにセレクタの切替を光スイッチに指示する（ステップＳ１０４）。
【０１０３】
つまり、切替制御部４０３は、ステップＳ１０１〜ステップＳ１０３の判定が全て「Ｙｅｓ」と判定される光スイッチに対して切替制御を実施する。
【０１０４】
一方、切替制御部４０３は、ステップＳ１０１〜ステップＳ１０３のいずれかが「Ｎｏ」と判定された光スイッチに対しては切替しないように制御を実施する（ステップＳ１０５）。つまり、切替制御部４０３は、光スイッチに対してセレクタの切替を行わず、現状の接続を維持するように指示する。
【０１０５】
［障害発生時から復旧時までの状態遷移］
次に、図６に示した光ネットワークにおいて障害が発生して復旧するまでの各光スイッチの制御等について説明する。ここでは、図１１と図１２を用いて、ＷＤＭ中継局３００とＷＤＭ中継局４００との間でライン障害が発生した障害例１について説明し、図１３と図１４を用いて、ＷＤＭ送信局１００とＷＤＭ中継局２００との間でライン障害が発生した障害例２について説明する。
【０１０６】
（障害例１）
図１１は、実施例２に係る光ネットワークにおけるＷＤＭ中継局３００とＷＤＭ中継局４００との間でライン障害が発生した場合の例を示す図である。図１２は、図１１の障害が復旧した場合の例を示す図である。図１１に示すように、ＷＤＭ中継局４００の光スイッチ４０９ａ〜光スイッチ４０９ｎは、ＷＤＭ中継局３００側に接続されている。また、ＷＤＭ中継局７００の光スイッチ７０７ａ〜光スイッチ７０７ｎは、ＷＤＭ中継局６００側に接続されている。また、ＷＤＭ送信局１００から送信される副信号の切替制御コードはデフォルト値「ＷＣＳフラグ＝ＯＮ、切替許可フラグ＝ＯＮ、障害検出フラグ＝ＯＦＦ」である。
【０１０７】
このような状態において、ＷＤＭ中継局３００とＷＤＭ中継局４００との間でライン障害が発生した場合について説明する。この場合、ＷＤＭ中継局４００は、光スイッチ４０９ａ〜光スイッチ４０９ｎがＷＤＭ中継局３００側に接続されているので、図１１の（ａ）に示すように、主信号も副信号も受信できない。ところが、ＷＤＭ中継局４００は、字装置内部で副信号を生成して送信することができるので、副信号の「切替許可フラグ」を「ＯＦＦ」にした副信号を生成して下流の装置に送信する。
【０１０８】
この結果、ＷＤＭ中継局６００は、副信号のみを受信することができ、図１１の（ｂ）に示すように、「切替許可フラグ＝ＯＦＦ」の副信号のみをＷＤＭ受信局７００に送信することができる。また、ＷＤＭ中継局５００は、図１１の（ｃ）に示すように、副信号のみを受信することができる。また、ＷＤＭ中継局５００は、再生中継局なので、図１１の（ｄ）に示すように、ペイロードが空の主信号を生成し、生成した主信号と「切替許可フラグ＝ＯＦＦ」の副信号とを合波したＷＤＭ信号をＷＤＭ受信局７００に送信する。
【０１０９】
このとき、言い換えると、障害発生時、ＷＤＭ中継局７００の光スイッチ７０７ａ〜光スイッチ７０７ｎは、ＷＤＭ中継局６００側に接続されているので、図１１の（ｂ）に示したと「切替許可フラグ＝ＯＦＦ」の副信号のみを受信できている。したがって、ＷＤＭ中継局７００の切替制御部７０３は、光スイッチ７０７ａ〜光スイッチ７０７ｎ各々が切り替わらないように制御する。
【０１１０】
一方、ＷＤＭ中継局４００の光スイッチ４０９ａ〜光スイッチ４０９ｎ各々は、図１１の（ａ）に示すように、主信号も副信号も受信できていないので、切替判定処理を実施する。この場合、ＷＤＭ中継局４００には、主信号と副信号（切替制御コード＝デフォルト値）とが合波された正常なＷＤＭ信号がＷＤＭ中継局２００から送信されている（図１１の（ｅ）参照）。したがって、ＷＤＭ中継局４００の切替制御部４０３は、切替先の装置で障害が発生しておらず、切替先の装置から受信した副信号の「障害検出フラグ」が「ＯＦＦ」かつ「切替許可フラグ」が「ＯＮ」であり、切替可能と判断する。
【０１１１】
そして、図１２に示すように、ＷＤＭ中継局４００の切替制御部４０３は、光スイッチ４０９ａ〜光スイッチ４０９ｎ各々の接続をＷＤＭ中継局３００からＷＤＭ中継局２００に切り替える。この結果、図１２の（ａ）に示すように、ＷＤＭ中継局４００は、デフォルト値が設定された副信号と主信号とが合波された正常なＷＤＭ信号をＷＤＭ中継局２００から受信できる。
【０１１２】
これ以降、ＷＤＭ中継局４００は、障害が復旧し、デフォルトの値が設定された副信号と主信号とが合波されたＷＤＭ信号をＷＤＭ中継局５００やＷＤＭ中継局６００に送信する。この結果、ＷＤＭ受信局７００は、デフォルトの値が設定された副信号と主信号とが合波されたＷＤＭ信号を受信することができる。したがって、ＷＤＭ受信局７００は、障害が発生したにも関わらず光スイッチの切替を行うことなく、正常なＷＤＭ信号をＷＤＭ中継局６００から受信することができる。
【０１１３】
（障害例２）
図１３は、実施例２に係る光ネットワークにおけるＷＤＭ送信局１００とＷＤＭ中継局２００との間でライン障害が発生した場合の例を示す図である。図１４は、図１３の障害が復旧した場合の例を示す図である。図１３に示すように、障害例１とは異なり、ＷＤＭ中継局４００の光スイッチ４０９ａ〜光スイッチ４０９ｎは、ＷＤＭ中継局２００側に接続されている。また、ＷＤＭ中継局７００の光スイッチ７０７ａ〜光スイッチ７０７ｎは、障害例１と同様に、ＷＤＭ中継局６００側に接続されている。また、ＷＤＭ送信局１００から送信される副信号の切替制御コードはデフォルト値「ＷＣＳフラグ＝ＯＮ、切替許可フラグ＝ＯＮ、障害検出フラグ＝ＯＦＦ」である。
【０１１４】
このような状態において、ＷＤＭ送信局１００とＷＤＭ中継局２００との間でライン障害が発生した場合について説明する。この場合、ＷＤＭ中継局２００は、図１３の（ａ）に示すように、主信号も副信号も受信できない。ところが、ＷＤＭ中継局２００は、ＲＥＧ１〜ＲＥＧｎを有する再生中継局なので、ペイロードが空である主信号を生成して、図１３の（ｂ）に示すように、この主信号に副信号を合波してＷＤＭ中継局４００に送信する。このとき、ＷＤＭ中継局２００は、「障害検出フラグ＝ＯＮ」、「切替許可フラグ＝ＯＮ」が設定された副信号を合波する。
【０１１５】
続いて、ＷＤＭ中継局４００の切替制御部４０３は、ＷＤＭ中継局２００から受信したＷＤＭ信号に「障害検出フラグ＝ＯＮ」の副信号が含まれていることから、下流の装置に切替を抑止する制御を実施する。つまり、切替制御部４０３は、ＷＤＭ中継局２００から受信したペイロードが空である主信号に「切替許可フラグ＝ＯＦＦ」とする副信号を合波したＷＤＭ信号をＷＤＭ中継局５００とＷＤＭ中継局６００とに送信する。
【０１１６】
また、ＷＤＭ中継局５００では、ＷＤＭ中継局２００と同様にペイロードが空の主信号を生成し、ＷＤＭ中継局４００から受信した副信号と同様の副信号を合波してＷＤＭ受信局７００に送信する（図１３の（ｃ）参照）。また、ＷＤＭ中継局６００では、ＷＤＭ中継局４００から受信したＷＤＭ信号を増幅させてＷＤＭ受信局７００に送信する（図１３の（ｄ）参照）。
【０１１７】
このようにペイロードが空の主信号と副信号とが合成されたＷＤＭ信号が伝送される一方で、ＷＤＭ中継局４００の切替制御部４０３は、ＷＤＭ中継局２００から受信した副信号から「障害検出フラグ＝ＯＮ」、「切替許可フラグ＝ＯＮ」を検出する。そして、切替制御部４０３は、「障害検出フラグ＝ＯＮ」であることから即動切替が必要な状況と判断する。また、切替制御部４０３は、図１３の（ｅ）に示すように、切替先となるＷＤＭ中継局３００から正常なＷＤＭ信号が受信できていることを検出する。この結果、切替制御部４０３は、光スイッチ４０９ａ〜光スイッチ４０９ｎの接続をＷＤＭ中継局２００からＷＤＭ中継局３００に切り替える。
【０１１８】
このようにして光スイッチの切替を実施すると、ＷＤＭ中継局４００は、図１４の（ａ）に示すように、デフォルトの値が設定された副信号と主信号とが合波されたＷＤＭ信号を受信することができるようになる。これ以降、ＷＤＭ中継局４００は、障害が復旧し、デフォルトの値が設定された副信号と主信号とが合波されたＷＤＭ信号をＷＤＭ中継局５００やＷＤＭ中継局６００に送信する。この結果、ＷＤＭ受信局７００は、デフォルトの値が設定された副信号と主信号とが合波されたＷＤＭ信号を受信することができる。したがって、ＷＤＭ受信局７００は、障害が発生したにも関わらず光スイッチの切替を行うことなく、正常なＷＤＭ信号をＷＤＭ中継局６００から受信することができる。
【０１１９】
［実施例２による効果］
上述したように、ＷＤＭを用いた光ネットワークであっても、各チャネルごとに切替制御コードを付加した副信号を用いることで、障害検出による光スイッチの不要な切り替えを防止し、障害復旧までに要する時間を短縮することが可能である。また、多段光スイッチ構成時の光スイッチのバタツキを防止し、光スイッチによる障害の瞬時復旧をはかる事が可能な光ネットワーク網を実現する事が可能である。
【０１２０】
また、従来の術では、障害が発生しているにも関わらず、主信号（ペイロードが空）が受信できる場合には、障害を検出することもできないので、迅速な障害復旧を実施することができない。これに対して、本願では、副信号に付加される「障害検出フラグ」を用いて障害を検出することができるので、障害例２の場合でも、障害を迅速に検出して光スイッチの切替を実施して障害復旧を図ることができる。さらに、副信号に付加される「切替許可フラグ」を用いて下流の光スイッチの切替を抑止することができるので、迅速な障害復旧だけでなく、発生した障害の影響を受けた場合に発生する光スイッチのバタツキも防止できる。
【実施例３】
【０１２１】
さて、これまで本発明の実施例について説明したが、本発明は上述した実施例以外にも、種々の異なる形態にて実施されてよいものである。そこで、以下に異なる実施例を説明する。
【０１２２】
（副信号のフォーマット）
例えば、実施例２では、副信号にＯＴＮフレームを用いた例について説明したが、本願はこれに限定されるものではない。例えば、イーサネット（登録商標）やＳＯＮＥＴなどのフレームを用いることもでき、さらには、本願独自に規定したフォーマットを用いてもよい。
【０１２３】
（メンテナンスコマンド）
例えば、実施例２で説明したＷＤＭを用いた光ネットワークにおいてメンテナンスを実施する場合、各局でメンテナンスが実行されるため、メンテナンス中の局と接続される光スイッチでは切替が発生する場合がある。本願では、ＷＤＭ送信局の副信号制御部１０６が、図１５に示すように、デフォルト値「ＷＣＳフラグ＝ＯＮ、切替許可フラグ＝ＯＮ、障害検出フラグ＝ＯＦＦ」における「切替許可フラグ」を「ＯＦＦ」にした副信号を送信する。このようにすることで、「ＷＣＳフラグ＝ＯＮ、切替許可フラグ＝ＯＦＦ、障害検出フラグ＝ＯＦＦ」の副信号が合波されたＷＤＭ信号を受信した各局では、「切替許可フラグ＝ＯＦＦ」であることから、光スイッチの切替を抑止することができる。したがって、メンテナンス時であっても光スイッチのバタツキを防止することができる。なお、図１５は、メンテナンス時の副信号の切替制御コードを示す図である。
【０１２４】
（光スイッチおよび中継局等の構成）
また、実施例１では、光スイッチが切替判断を実施する例について説明したが、本願はこれに限定されるものではない。例えば、図１６に示すように、実施例１で説明した中継局Ａの内部に、光スイッチに接続されるように副信号判定部と切替制御部とを設けてもよい。このような構成であっても、実施例１と同様の処理を実行することができる。また、実施例２では、各局の切替制御部が光スイッチの切替判断を実施する例について説明したが、これに限定されるものではなく、切替制御部を各光スイッチの内部に設けるようにしてもよい。なお、図１６は、光スイッチの切替判断を実施する中継局の例を示す図である。
【０１２５】
（切替制御コード）
実施例２では、切替制御コードを用いた例について説明したが、切替制御コードを実施例１に適用した場合も、同様に処理することができ、障害検出による光スイッチの不要な切り替えを防止し、障害復旧までに要する時間を短縮することができる。また、実施例２についても、実施例１で説明したように副信号のみを用いる手法を適用することができる。
【０１２６】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、例えば図２等に示した各種のデータやパラメータを含む情については、特記する場合を除いて任意に変更することができる。
【０１２７】
また、図示した各装置の各構成要素は機能概念的なものであり、必ずしも物理的に図示の如く構成されていることを要しない。すなわち、例えば副信号判定部と切替制御部とを統合するなど各装置の分散・統合の具体的形態は図示のものに限られない。例えば、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され得る。
【０１２８】
（プログラム）
なお、本実施例で説明した光スイッチ制御方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【０１２９】
以上の各実施例を含む実施形態に関し、さらに以下の付記を開示する。
【０１３０】
（付記１）伝送対象の信号である主信号とは波長が異なる副信号を生成する副信号生成部と、
前記副信号生成部により生成された副信号と前記主信号とを合波した光信号を送信する信号送信部と、
前記光信号の受信経路を切り替える光スイッチと、
受信された光信号に前記主信号が含まれていない場合に、前記光信号に前記副信号が含まれているか否かを判定する副信号判定部と、
前記副信号判定部によって前記副信号が含まれていると判定された場合に、前記光スイッチが接続される経路を切り替えずに維持する切替制御部と
を有することを特徴とする光伝送装置。
【０１３１】
（付記２）前記副信号生成部は、他の光伝送装置から受信した光信号に含まれる主信号と副信号に基づいて、障害が発生したか否かを示す障害検出情報、前記光スイッチの切替を許可するか否かを示す切替許可情報を含む副信号を生成することを特徴とする付記１に記載の光伝送装置。
【０１３２】
（付記３）前記他の光伝送装置から受信した光信号に含まれる副信号に付加された障害検出情報または切替許可情報と、前記他の光伝送装置とは異なる光伝送装置に送信する副信号に付加する障害検出情報または切替許可情報を示す付加情報とを対応付けて保持する情報保持部をさらに有し、
前記副信号生成部は、前記他の光伝送装置から受信した光信号に含まれる副信号に付加された障害検出情報または切替許可情報に対応する付加情報を前記情報保持部から特定し、特定した付加情報を含む副信号を生成することを特徴とする付記２に記載の光伝送装置。
【０１３３】
（付記４）前記他の光伝送装置から受信した光信号に含まれる副信号に付加された障害検出情報または切替許可情報によって特定される、前記切替制御部が実施する切替制御内容を保持する切替制御内容保持部をさらに有し、
前記切替制御部は、前記光スイッチにより受信された光信号に含まれる副信号に付加された障害検出情報または切替許可情報に対応する切替制御内容を前記切替制御内容保持部から特定し、特定した切替制御内容を実施することを特徴とする付記２に記載の光伝送装置。
【０１３４】
（付記５）前記副信号生成部は、自装置がメンテナンスする場合または自装置を含む光ネットワークがメンテナンスを実行する場合、前記光スイッチの切替を抑止する抑止指示を付加した副信号を生成し、
前記信号送信部は、前記副信号生成部により生成された副信号と前記主信号とを合波した光信号を前記他の光伝送装置とは異なる光伝送装置に送信することを特徴とする付記１に記載の光伝送装置。
【０１３５】
（付記６）伝送対象の信号である主信号とは波長が異なる副信号を生成する副信号生成部と、
前記副信号生成部により生成された副信号と前記主信号とを合波した光信号を送信する信号送信部と、
を有することを特徴とする光中継装置。
【０１３６】
（付記７）前記副信号生成部は、他の光伝送装置から受信した光信号に含まれる主信号と副信号に基づいて、障害が発生したか否かを示す障害検出情報、前記光スイッチの切替を許可するか否かを示す切替許可情報を含む副信号を生成することを特徴とする付記６に記載の光中継装置。
【０１３７】
（付記８）前記他の光伝送装置から受信した光信号に含まれる副信号に付加された障害検出情報または切替許可情報と、前記他の光伝送装置とは異なる光伝送装置に送信する副信号に付加する障害検出情報または切替許可情報を示す付加情報とを対応付けて保持する情報保持部をさらに有し、
前記副信号生成部は、前記他の光伝送装置から受信された光信号に含まれる副信号に付加された障害検出情報または切替許可情報に対応する付加情報を前記情報保持部から特定し、特定した付加情報を含む副信号を生成することを特徴とする付記７に記載の光中継装置。
【０１３８】
（付記９）伝送対象の信号であり波長が異なる複数の主信号各々と波長が異なる副信号を生成する副信号生成部と、
前記波長が異なる複数の主信号を多重し、多重した信号と前記副信号生成部により生成された副信号とを合波した光信号を送信する信号送信部と、
前記光信号を受信して前記複数の主信号および副信号に分波する分波部と、
前記複数の主信号各々の受信経路を切り替える複数の光スイッチと、
前記分波部により前記光信号から前記副信号が分波された場合に、前記光スイッチが接続される経路を切り替えずに維持する切替制御部と
を有することを特徴とする光波長多重伝送装置。
【０１３９】
（付記１０）前記副信号生成部は、前記複数の主信号各々について、障害が発生したか否かを示す障害検出情報、前記光スイッチの切替を許可するか否かを示す切替許可情報を含む副信号を生成することを付記９に記載の光波長多重伝送装置。
【０１４０】
（付記１１）他の光伝送装置から受信した光信号に含まれる副信号に付加された障害検出情報または切替許可情報によって特定される、前記切替制御部が実施する切替制御内容を保持する切替制御内容保持部をさらに有し、
前記切替制御部は、前記複数の光スイッチ各々について、前記光スイッチによって受信された光信号に含まれる副信号に付加された障害検出情報または切替許可情報に対応する切替制御内容を前記切替制御内容保持部から特定し、特定した切替制御内容を実施することを特徴とする付記１０に記載の光波長多重伝送装置。
【０１４１】
（付記１２）受信された光信号に伝送対象となる主信号が含まれていない場合に、前記主信号とは波長が異なる副信号が前記光信号に含まれているか否かを判定する副信号判定部と、
前記副信号判定部によって前記光信号に副信号が含まれていると判定された場合に、現在接続されている経路を切り替えずに維持する切替制御部と
を有することを特徴とする光スイッチ。
【０１４２】
（付記１３）光伝送装置が、
伝送対象の信号である主信号とは波長が異なる副信号を生成する副信号生成ステップと、
前記副信号生成ステップにより生成された副信号と前記主信号とを合波した光信号を送信する信号送信ステップと、
受信された光信号に前記主信号が含まれていない場合に、前記光信号に前記副信号が含まれているか否かを判定する副信号判定ステップと、
前記副信号判定ステップによって前記副信号が含まれていると判定された場合に、前記光信号の受信経路を切り替えずに維持する切替制御ステップと
を含んだことを特徴とする光伝送方法。
【０１４３】
（付記１４）光中継装置が、
伝送対象の信号である主信号とは波長が異なる副信号を生成する副信号生成ステップと、
前記副信号生成ステップにより生成された副信号と前記主信号とを合波した光信号を送信する信号送信ステップと、
を含んだことを特徴とする光中継方法。
【０１４４】
（付記１５）光波長多重伝送装置が、
伝送対象の信号であり波長が異なる複数の主信号各々と波長が異なる副信号を生成する副信号生成ステップと、
前記波長が異なる複数の主信号を多重し、多重した信号と前記副信号生成ステップにより生成された副信号とを合波した光信号を送信する信号送信ステップと、
前記光信号を受信して前記複数の主信号および副信号に分波する分波ステップと、
前記分波部により前記光信号から前記副信号が分波された場合に、前記複数の主信号各々の受信経路を切り替えずに維持する切替制御ステップと
を含んだことを特徴とする光波長多重伝送方法。
【符号の説明】
【０１４５】
１０  送信局
１０ａ  主信号送信器
１０ｂ  光カプラ
１０ｃ、１０ｄ  光増幅器
２０  中継局Ａ
２０ａ  光スイッチ
２０ｂ  セレクタ
２０ｃ  副信号判定部
２０ｄ  切替制御部
２０ｅ  副光源
２０ｆ  光カプラ
２０ｇ、２０ｈ  光増幅器
３０  中継局Ｂ
３０ａ  光スイッチ
３０ｂ  セレクタ
３０ｃ  副信号判定部
３０ｄ  切替制御部
３０ｅ  副光源
３０ｆ  光カプラ
３０ｇ、３０ｈ  光増幅器
４０  受信局
４０ａ  光スイッチ
４０ｂ  主信号受信器
【図１】
0005521679.tif 000002
【図２】
0005521679.tif 000003
【図３】
0005521679.tif 000004
【図４】
0005521679.tif 000005
【図５】
0005521679.tif 000006
【図６】
0005521679.tif 000007
【図７】
0005521679.tif 000008
【図８】
0005521679.tif 000009
【図９】
0005521679.tif 000010
【図１０】
0005521679.tif 000011
【図１１】
0005521679.tif 000012
【図１２】
0005521679.tif 000013
【図１３】
0005521679.tif 000014
【図１４】
0005521679.tif 000015
【図１５】
0005521679.tif 000016
【図１６】
0005521679.tif 000017
【図１７】
0005521679.tif 000018
【図１８】
0005521679.tif 000019
【図１９】
0005521679.tif 000020